(57)【特許請求の範囲】
【請求項１】
液晶層と、前記液晶層を前記液晶層の厚さ方向から挟んで対向する第１の電極及び第２の電極と、を備える垂直配向型の液晶表示素子であって、
前記第１の電極は、前記厚さ方向に貫通する第１のスリットを備え、
前記第２の電極は、前記厚さ方向に貫通する第２のスリットを備え、
前記第１のスリットと前記第２のスリットとは、前記第１の電極と前記第２の電極とに電圧を印加した場合に前記厚さ方向に対して傾斜を有する電界が発生するように、前記厚さ方向からみて互いにずれて形成され、
前記第１のスリットの一端部の輪郭形状は、半円又は半楕円形状であること、あるいは、３つ以上の角を有し、前記３つ以上のうち９０度以下の角度を有する角が一つ以下の形状である
ことを特徴とする液晶表示素子。
【請求項２】
前記第２のスリットの一端部の輪郭形状は、９０度以下の角度を有する角が一つ以下の形状であることを特徴とする請求項１に記載の液晶表示素子。
【請求項３】
前記第１の電極は、前記第１のスリットを複数備え、
前記第２の電極は、前記第２のスリットを複数備え、
前記複数の第１のスリットと前記複数の第２のスリットとは、前記厚さ方向からみて互いに交互にずれて形成されることを特徴とする請求項１又は２に記載の液晶表示素子。
【請求項４】
前記第１の電極と前記第２の電極とによって前記液晶表示素子の表示領域が構成され、
前記第１のスリットと前記第２スリットとは第１の方向に長尺であり、前記第１のスリットの前記第１の方向における長さと前記第２のスリットの前記第１の方向における長さとは異なり、
前記厚さ方向から見て、前記第１のスリット及び前記第２スリットの前記一端部側の前記表示領域の輪郭は、前記第１の方向に対して傾斜を有する、
ことを特徴とする請求項１乃至３のいずれか１項に記載の液晶表示素子。
【請求項５】
前記第１のスリットの幅及び前記第２のスリットの幅は、９μｍであることを特徴とする請求項１乃至４のいずれか１項に記載の液晶表示素子。
【請求項６】
前記第１のスリットのピッチ幅及び前記第２のスリットのピッチ幅は、５０μｍ以上１５０μｍ以下であることを特徴とする請求項１乃至５のいずれか１項に記載の液晶表示素子。
【発明の詳細な説明】
【技術分野】
【０００１】
本発明は、液晶表示素子に関する。
【背景技術】
【０００２】
例えば、特許文献１には、表示用の所定パターンの透明電極が形成され、垂直配向処理が施された一対の基板により液晶層を狭持してなる垂直配向型の液晶表示素子であって、前記一対の基板上の透明電極により形成される表示領域内で、該一対の基板の両方の透明電極に略長方形型に一部が取り除かれたスリットを有し、かつ一方の基板上の透明電極に設けられた前記スリットと他方の透明電極に設けられた前記スリットとが前記表示領域内で該スリットの長手方向と直交する方向に交互に配置されていることを特徴とする液晶表示素子が開示されている。
【先行技術文献】
【特許文献】
【０００３】
【特許文献１】特開２００４−２５２２９８号公報
【発明の概要】
【発明が解決しようとする課題】
【０００４】
しかし、このような液晶表示素子に電圧を印加して、表示パターンを表示する場合、スリットの端部近傍に対応する表示領域において、表示パターンの輪郭部が凸凹になってしまう場合があった。詳しくは後述するが、本願発明者は、このような現象は、スリットが略長方形であることによって引き起こされるということを見出した。
【０００５】
本発明は、上記点に鑑みてなされたものであり、その目的とするところは、表示パターンの輪郭部が凸凹になってしまうことを軽減する（つまり、表示パターンの輪郭部を凸凹に見えにくくする）又は防止する（つまり、表示パターンの輪郭部を凸凹に見えなくする）ことができる液晶表示素子を提供することにある。
【課題を解決するための手段】
【０００６】
本発明に係る液晶表示素子は、
液晶層と、前記液晶層を前記液晶層の厚さ方向から挟んで対向する第１の電極及び第２の電極と、を備える垂直配向型の液晶表示素子であって、
前記第１の電極は、前記厚さ方向に貫通する第１のスリットを備え、
前記第２の電極は、前記厚さ方向に貫通する第２のスリットを備え、
前記第１のスリットと前記第２のスリットとは、前記第１の電極と前記第２の電極とに電圧を印加した場合に前記厚さ方向に対して傾斜を有する電界が発生するように、前記厚さ方向からみて互いにずれて形成され、
前記第１のスリットの一端部の輪郭形状は、半円又は半楕円形状であること、あるいは、３つ以上の角を有し、前記３つ以上のうち９０度以下の角度を有する角が一つ以下の形状である。
【発明の効果】
【０００７】
本発明に係る液晶表示素子によれば、表示パターンの輪郭部が凸凹になってしまうことを軽減する又は防止することができる。
【図面の簡単な説明】
【０００８】
【図１】本発明の一実施形態に係る液晶表示素子の概略断面図であって、（ａ）は電圧印加前、（ｂ）は電圧印加時の概略断面図である。
【図２】（ａ）は、本発明の一実施形態に係る液晶表示素子が備える上側電極の平面図である。（ｂ）は、本発明の一実施形態に係る液晶表示素子が備える下側電極の平面図である。（ｃ）は、本発明の一実施形態に係る液晶表示素子が備えるセグメントを示す平面図である。
【図３】本発明の一実施形態に係る液晶表示素子の表示領域を示す図である。
【図４】本発明の一実施形態に係る液晶表示素子が備える二つの偏光板それぞれの吸収軸と液晶分子が倒れる方向とを示した図である。
【図５】本発明の他の実施形態に係る液晶表示素子が備えるセグメントを示す平面図である。
【図６】点灯させたセグメントの顕微鏡写真を示した図であり、（a）は、スリットが長方形の場合、（ｂ）は、本発明の一実施形態に係る液晶表示素子のスリットの形状を採用した場合、（ｃ）は、本発明の他の実施形態に係る液晶表示素子のスリットの形状を採用した場合の顕微鏡写真を示した図である。
【図７】本発明の一実施形態に係る液晶表示素子について、スリット幅を変化させたときのＯＮ輝度と配向安定性との関係を示す表の図である。
【図８】本発明の一実施形態に係る液晶表示素子について、スリット幅とＯＮ輝度との関係を示すグラフである。
【図９】本発明の一実施形態に係る液晶表示素子について、ピッチ幅を変化させたときのＯＮ輝度と配向安定性との関係を示す表の図である。
【図１０】本発明の一実施形態に係る液晶表示素子について、ピッチ幅とＯＮ輝度との関係を示すグラフである。
【図１１】本発明の一実施形態に係る液晶表示素子が備える複数のセグメントを点灯させたときの複数のセグメントの一部の領域の顕微鏡写真を示した図であり、（a）はスリットのピッチ幅を５０μｍとした場合、（ｂ）はピッチ幅を７５μｍとした場合、（ｃ）はピッチ幅を１００μｍとした場合、（ｄ）はピッチ幅を１２５μｍとした場合、（e）はピッチ幅を１５０μｍとした場合、（ｆ）はピッチ幅を２００μｍとした場合の写真を示した図である。
【発明を実施するための形態】
【０００９】
本発明の一実施形態について図面を参照して説明する。なお、本発明は下記の実施形態及び図面によって限定されるものではない。下記の実施形態（図面に記載された態様も含む。）に変更（構成要素の削除又は付加等を含む）を加えることが出来るのはもちろんである。なお、下記では、本発明を垂直配向型の液晶表示素子によって実現した場合について説明するが、本発明は他の液晶表示素子によっても実現可能である。
【００１０】
図１のように、本実施形態に係る液晶表示素子１００は、液晶層１１０、上側基板１２０、下側基板１３０、上側偏光板１４０、下側偏光板１５０、視角補償板１６０を備える。
【００１１】
液晶層１１０は、後述の上側基板１２０と後述の下側基板１３０とによって挟持された、液晶分子１１１を含む液晶によって構成される。上側基板１２０と下側基板１３０とは、図示しないシール部材を挟んで、所定の距離を保って対向するように重ね合わされ、図示しないシール部材によって両者は固着される。上側基板１２０と下側基板１３０とシール部材とによって密閉空間が形成され、形成された密閉空間内に液晶が閉じこめられる。液晶を閉じこめる方法は公知の方法で行える。密閉空間内に閉じこめられた液晶は液晶層１１０を構成する。液晶は、例えば、誘電率異方性が負の特性を持つ液晶材料によって構成される。
【００１２】
上側基板１２０は、基材１２１、上側電極１２２、絶縁膜１２３、配向膜１２４を備える。基材１２１の主面上に、所定形状の上側電極１２２が形成される。絶縁膜１２３は、上側電極１２２を覆うように、基材１２１の主面上に形成される。配向膜１２４は、絶縁膜１２３を覆うように、絶縁膜１２３上に形成される。上側電極１２２は、公知の方法（例えば、スパッタ、蒸着、又は、エッチング）によって形成される。絶縁膜１２３、及び、配向膜１２４は、それぞれ、公知の方法（例えば、フレクソ印刷）によって形成される。
【００１３】
基材１２１は、透明基板（例えば透明ガラス基板）であり光を透過する。
【００１４】
上側電極１２２は、光を透過する透明電極（例えば、ＩＴＯ（酸化インジウムスズ）によって形成される。）である。上側電極１２２の詳細については後述する。
【００１５】
絶縁膜１２３は、上側電極１２２を絶縁保護する膜（例えば、二酸化ケイ素によって形成される。）であり、上側電極１２２を覆うように、基材１２１上に形成される。
【００１６】
配向膜１２４は、液晶層１１０に接する膜（例えば、ポリイミドによって形成される。）である。配向膜１２４は、初期状態において、液晶層１１０に含まれる液晶分子１１１を、液晶分子１１１の長尺方向が液晶層１１０の厚さ方向（上側基板１２０の面に対する法線方向）に沿うように立たせる（図１（ａ）参照）、所謂垂直配向膜である。初期状態とは、上側電極１２２と下側電極１３２とに対して電圧が印加されていない状態である。また、上側電極１２２と下側電極１３２とに電圧を印加した場合に、液晶層１１０の厚さ方向から見て、液晶分子１１１がスリット１２２ａの長尺方向に垂直な方向に倒される。
【００１７】
下側基板１３０は、上側基板１２０と略同様の構成を有するので詳細な説明は省略する。ここで、基材１３１は、基材１２１に対応する。下側電極１３２は、上側電極１２２に対応する。絶縁膜１３３は、絶縁膜１２３に対応する。配向膜１３４は、配向膜１２４に対応する。
【００１８】
上側偏光板１４０（例えば、ポリビニルアルコール（ＰＶＡ（polyvinyl alcohol））フィルムをセルローストリアセテート（ＴＡＣ（Triacetylcellulose））フィルムによって挟んだ積層体によって構成される。）は、上側基板１２０の外側に配置され、下側偏光板１５０（例えば、ポリビニルアルコールフィルムをセルローストリアセテートフィルムによって挟んだ積層体によって構成される。）は、下側基板１３０の外側に配置される。上側偏光板１４０及び下側偏光板１５０は、所定の光を吸収する。上側偏光板１４０の吸収軸９１と下側偏光板１５０の吸収軸９３とが直交するように（図４参照）、かつ、吸収軸９１と吸収軸９３とが液晶分子１１１が倒れる方向９５に対して４５度の方向に沿うように（図４参照）、上側偏光板１４０と下側偏光板１５０とは配置される。
【００１９】
視角補償板１６０は、光軸が液晶層１１０の厚さ方向にあり、複屈折率が負の一軸位相差フィルムによって構成される。なお、本実施形態では、視覚補償板１６０は、下側基板１３０と下側偏光板１５０との間に配置されているが、視覚補償板１６０は、これに加えて又はこれに変えて、上側基板１２０と上側偏光板１４０との間に配置されてもよい。
【００２０】
図２及び図３に示すように、上側電極１２２及び下側電極１３２は、所望の形状で複数形成される。上側電極１２２及び下側電極１３２は、それぞれ、１以上形成されればよい。互いに対向する、各上側電極１２２と各下側電極１３２とは、平面形状（液晶層１１０の厚さ方向から見た形状）が略同形状になる。液晶表示素子１００の表示面における、複数の上側電極１２２と複数の下側電極１３２とに対応する領域が、液晶表示素子１００が表示パターンを表示する表示領域全体になる。つまり、複数の上側電極１２２と複数の下側電極１３２とによって、全体表示領域１９０が形成され、液晶表示素子１００の表示面において、全体表示領域１９０に対応する領域が表示領域全体になる。
【００２１】
本実施形態においては、液晶表示素子１００は、表示パターンを所謂セグメント表示する。つまり、表示パターンを表示するための全体表示領域１９０は、複数の表示領域（セグメント１９１）に分割されている。全体表示領域１９０は、複数のセグメント１９１によって構成される。一つのセグメント１９１は、一つの上側電極１２２と一つの下側電極１３２とによって構成される。液晶表示素子１００は、複数のセグメント１９１のうちから選択された１以上のセグメント１９１を通過させた光を上側偏光板１４０等を介して外部に出射させる（つまり、セグメント１９１を点灯させる）ことによって、一の全体表示領域１９０を用いて複数種の表示パターン（例えば、数字の「０」〜「９」）を表示することができる。セグメント１９１を点灯させるためには、所望のセグメント１９１に電圧を印加させればよい。
【００２２】
上側電極１２２は、スリット１２２ａを有する。スリット１２２ａは、上側電極１２２を液晶層１１０の厚さ方向に貫通する貫通孔である。下側電極１３２は、スリット１３２ａを有する。スリット１３２ａは、下側電極１３２を液晶層１１０の厚さ方向に貫通する貫通孔である。スリット１２２ａ及びスリット１３２ａは、第１の方向に長尺な形状である。なお、これらスリット１２２ａ及びスリット１３２ａは、上側電極１２２及び下側電極１３２を形成するときに、上側電極１２２及び下側電極１３２の形状を規定することによって、所望の形状で形成することができる。
【００２３】
スリット１２２ａとスリット１３２ａとは、液晶層１１０の厚さ方向からみて、前記の第１の方向（スリット１２２ａ及びスリット１３２ａの長手方向）に略垂直な方向（第２の方向）にずれて形成される。特に、スリット１２２ａとスリット１３２ａとは、等間隔でずれて形成される。例えば、スリット１２２ａ及びスリット１３２ａの幅方向（第２の方向）における、スリット１２２ａの中心軸１２２ｂとスリット１３２ａの中心軸１３２ｂとは、液晶層１１０の厚さ方向からみて、隣り合うスリット１２２ａのピッチＰ（中心軸１２２ｂ間のピッチ）の半分の距離分だけずれる。ピッチＰの距離は、隣り合うスリット１２２ａのピッチと同じ距離である（図２（ｃ）参照）。
【００２４】
このように形成された上側電極１２２と下側電極１３２とに電圧が印加されると、両電極間に斜め電界１１５が生じる（図１（ｂ）参照）。このとき、図１（ｂ）のように、液晶分子１１１は、その位置によって所定方向に倒れる。液晶分子１１１のうちの液晶層１１０の厚さ方向における中央に位置する液晶分子１１１は、液晶分子１１１の長尺方向が斜め電界１１５の方向と垂直になるように倒れる。また、液晶分子１１１のうちの液晶層１１０の厚さ方向における中央に近づいた位置にある液晶分子ほど、液晶分子１１１の長尺方向が斜め電界１１５の方向と垂直になるように倒れ、上側電極１２２と下側電極１３２との近傍の液晶分子１１１は、略倒れない（完全に倒れない場合も含む。）。
【００２５】
上記のように構成された液晶表示素子１００では、電圧印加時、液晶層１１０の厚さ方向からみて、スリット１２２ａの近傍に位置する液晶分子１１１と、スリット１３２ａの近傍に位置する液晶分子１１１とが、互いに異なる方向（２方向）に倒れる。このため、このような液晶表示素子１００は、２ドメイン構造になり、互いの視覚特性が補完される。
【００２６】
ここで、従来のスリットの形状は、上述のように略長方形であった。このため、スリット１２２ａ及びスリット１３２ａの、第１の方向における両端部の輪郭形状は、９０度以下の角度を有する角が二つの形状であった。このようなスリットの形状の場合、液晶表示素子が表示パターンを表示するときに、表示パターンの輪郭部が凸凹になってしまう場合があった。
【００２７】
そこで、本願発明者は、様々な検討をした結果、スリット１２２ａ及びスリット１３２ａの長手方向端部に生じる配向欠陥が９０度以下の角度を有する角の部分において集中して発生し、この配向欠陥が集中して生じる部分が二つあることによって、表示パターンの輪郭部が凸凹になってしまうことがあると予測した。
【００２８】
そして、本願発明者は、スリット１２２ａ又はスリット１３２ａの、第１の方向における端部の輪郭形状が９０度以下の角度を有する角が一つ以下の形状であれば、少なくともそのスリットの端部近傍部分においては、表示パターンの輪郭部が凸凹になってしまうことを軽減又は防止できることを見出した。
【００２９】
本実施形態における液晶表示素子１００におけるスリット１２２ａ及びスリット１３２ａの第１の方向における両端部の輪郭形状は、それぞれ、略半円弧形状となっている。なお、スリット１２２ａ及びスリット１３２ａの形状は、図２及び図３に示すように両端が閉口している。なお、略半円は、半真円及び半楕円等も含む（ここでは、略半真円）。
【００３０】
図２及び図３に示すような、スリット１２２ａ及びスリット１３２ａの端部の輪郭形状が略半円弧形状となることによって、スリット１２２ａ及びスリット１３２ａの端部の輪郭形状が９０度以下の角度を有する角が無い形状になる。このため、上記９０度の角のような、配向欠陥が集中して生じる部分が無くなると予測され、表示パターンの輪郭部が凸凹になってしまうことを軽減又は防止できる（下記の図６（ｂ）も参照）。
【００３１】
以上のように、本実施形態に係る液晶表示素子１００は、液晶層１１０と、液晶層１１０を液晶層１１０の厚さ方向から挟んで対向する第１の電極（上側電極１２２又は下側電極１３２。以下同じ）及び第２の電極（下側電極１３２又は上側電極１２２。以下同じ。）と、を備える。そして、本実施形態では、第１の電極は、液晶層１１０の厚さ方向に貫通する第１のスリット（スリット１２２ａ又はスリット１３２ａ。以下同じ。）を備え、第２の電極は、液晶層１１０の厚さ方向に貫通する第２のスリット（スリット１３２ａ又はスリット１２２ａ。以下同じ。）を備える。また、本実施形態では、第１のスリットと第２のスリットとは、第１の電極と第２の電極とに電圧を印加した場合に厚さ方向に対して傾斜を有する電界（斜め電界１１５）が発生するように、液晶層１１０の厚さ方向からみて互いにずれて形成される。そして、本実施形態では、第１のスリットの一端部の輪郭形状は、９０度以下の角度を有する角が一つ以下の形状である。このような構成によって、上記のように、本実施形態に係る液晶表示素子１００は、表示パターンの輪郭部が凸凹になってしまうことを軽減又は防止できる。
【００３２】
スリット１２２ａ及びスリット１３２ａのいずれかの一方の端部の輪郭形状を上記の輪郭形状にしてもよい。また、複数のスリット１２２ａの少なくとも一部及び又は複数のスリット１３２ａの少なくとも一部の端部の輪郭形状を上記の輪郭形状にしてもよい。また、スリット１２２ａ及び又はスリット１３２ａの両端部のうちの少なくとも一端部の輪郭形状を上記の輪郭形状にすればよい。スリット１２２ａ及び又はスリット１３２ａの平面形状は、一端が閉口であれば他端は開口してもよい。このような場合であっても、少なくとも上記の輪郭形状を有するスリットの端部の近傍部分においては、表示パターンの輪郭部が凸凹になってしまうことを軽減又は防止できる。
【００３３】
スリットの端部の輪郭形状が９０度以下の角度を有する角が一つ以下になるように、例えば、スリット１２２ａ又はスリット１３２ａをスリット２２２ａ又はスリット２３２ａに変更してもよい（図５参照）。図５において、上側電極２２２は、上側電極１２２に対応し、セグメント２９１は、セグメント１９１に対応する。スリット２２２ａ及びスリット２３２ａの形状は、六角形の形状になっている。これによって、スリット２２２ａ及びスリット２３２ａの両端部の輪郭形状は、３つ以上の角を有し、前記３つ以上のうち９０度以下の角度を有する角が一つ以下の形状となっている。このような場合でも、表示パターンの輪郭部が凸凹になってしまうことを軽減又は防止できる。スリット２２２ａ又はスリット２３２ａを採用した場合の液晶表示素子に関する構成及び効果等の他の説明については、スリット１２２ａ及びスリット１３２ａの説明に準じるので、説明を省略する。スリット２２２ａ及びスリット２３２ａは、七角形又は八角形等の多角形であってもよい。
【００３４】
上記のように形成したスリットを有するセグメント１９１の一部（例えば、図２の２点差線で囲った部分）についての顕微鏡写真を図６に示す。図６は、点灯させたセグメント１９１の顕微鏡写真を示した図であり、（a）は、スリットが長方形の場合、（ｂ）は、スリット１２２ａ及びスリット１３２ａを採用した場合、（ｃ）は、スリット２２２ａ及びスリット２３２ａを採用した場合の顕微鏡写真を示した図である。
【００３５】
図６（a）のように、スリットが長方形である場合、表示パターンの輪郭部（２点鎖線で囲んだ領域等）が凸凹に表示されてしまっている。
【００３６】
図６（a）乃至（ｃ）を比べると、表示パターンの輪郭部（２点鎖線で囲んだ領域等）は、スリット１２２ａ及びスリット１３２ａの形状を採用した場合（図６（ｂ））に、最も鮮明に表示されている。つまり、スリット１２２ａ及びスリット１３２ａを採用した場合（図６（ｂ））、表示パターンの輪郭部が凸凹に表示されてしまうことを最も軽減できる。これは、スリット１２２ａ及びスリット１３２ａの端部の輪郭形状が９０度以下の角度を有する角が無い形状になっているからだと予測される。
【００３７】
また、図６（ｂ）程ではないものの、表示パターンの輪郭部（２点鎖線で囲んだ領域等）は、スリット２２２ａ及びスリット２３２ａを採用した場合（図６（ｃ））も、スリットが長方形である場合（図６（ａ））に比べて、鮮明に表示されている。つまり、スリット２２２ａ及びスリット２３２ａを採用した場合（図６（ｃ））、表示パターンの輪郭部が凸凹に表示されてしまうことを軽減できる。これは、スリット１２２ａ及びスリット１３２ａの端部の輪郭形状が９０度以下の角度を有する角が一つの形状になっているからだと予測される。
【００３８】
上記の結果を踏まえると、スリットの端部の輪郭形状を、９０度以下の角度を有する角が一つ以下の形状にすることによって、表示パターンの輪郭部が凸凹に表示されてしまうことが軽減されることが分かる。輪郭形状が、略半円弧形状であるか、３つ以上の角を有し、前記３つ以上のうち９０度以下の角度を有する角が一つ以下の形状であるかのいずれであっても、表示パターンの輪郭部が凸凹に表示されてしまうことは軽減されるが、輪郭形状が３つ以上の角を有する場合よりも、輪郭形状が略半円弧形状である場合に、表示パターンの輪郭部が凸凹に表示されてしまうことがより効果的に軽減される。
【００３９】
なお、凸凹に表示されてしまう表示パターンの輪郭部は、図６のように、特に、スリットの長尺方向に対して前記表示パターンの輪郭部が斜めになっている部分が該当する。このため、図６（又は図２（ｃ）の２点差線で囲んだ領域Ｂ参照）のように、スリット１２２a（又は１３２a）とスリット１３２a（又は１２２a）と（スリットは、スリット２２２ａ及びスリット２３２ａでもよい。以下同じ。）は、第１の方向における長さが異なり、液晶層１１０の厚さ方向から見て、スリット１２２a（又は１３２a）及びスリット１３２a（又は１２２a）の端部側（端部近傍）の表示領域（セグメント１９１）の輪郭（２点鎖線で囲んだ輪郭等）は、第１の方向に対して傾斜を有する場合に、本実施形態は有効であり、これによって、表示パターンの輪郭部が凸凹に表示されてしまうことを効果的に軽減できる。第１のスリット１２２a（又は１３２a）と第２スリット１３２a（又は１２２a）とは、第１の方向における長さが輪郭に対応して異なる。
【００４０】
なお、本願発明者は、上記のスリット１２２ａ及びスリット１３２ａ（スリット２２２ａ及びスリット２３２ａでもよい。以下同じ。）のピッチ幅（上記ピッチＰ等）を５０μｍに固定し、液晶層１１０の厚さを４μｍに固定して、上記のスリット１２２ａ及びスリット１３２ａの幅（第２の方向における長さをいう。）を変化させ、電圧印加時の一のセグメント１９１の点灯時の輝度（ON輝度）を計測するとともに、目視による前記輝度のムラ（配向安定性）を確認した。この結果を図７及び図８に示す。なお、図７における開口率とは、セグメント１９１全体に対する、セグメント１９１におけるスリット以外の部分の割合をいう。また、配向安定性は、丸が良く、三角はやや悪いことを示す。また、スリット１２２ａ及びスリット１３２ａの幅をスリット幅という。
【００４１】
図７及び図８に示す結果から、本願発明者は、スリット１２２ａ及びスリット１３２ａの幅を調整することによって、配向欠陥による表示パターンの表示への影響を軽減できることを見出した。上記の結果を考察すると、スリット１２２ａ及びスリット１３２ａの幅が広いほど、セグメント１９１の開口率が低下するためＯＮ輝度は低下する。一方で、ストライプ幅が小さい程、配向安定性は悪くなる（配向欠陥がより多いと考えられる）。また、スリット幅が８μｍになるとＯＮ輝度が減少する。このため、スリット幅、つまり、スリット１２２ａ及びスリット１３２ａの幅は、９μｍが望ましい。
【００４２】
また、本願発明者は、上記のスリット１２２ａ及びスリット１３２ａのスリット幅を９μｍに固定し、液晶層１１０の厚さを４μｍに固定して、上記のスリット１２２ａ及びスリット１３２ａのピッチ幅（上記ピッチＰ等）を変化させ、電圧印加時のセグメント１９１の点灯時のＯＮ輝度を計測するとともに、目視による前記輝度のムラ（配向安定性）を確認した。この結果を図９乃至図１１に示す。なお、配向安定性におけるバツは、配向安定性が悪いことを示す。また図１１は、電圧を印加して、複数のセグメント１９１を点灯させたときの複数のセグメント１９１の一部の領域（例えば、図３の２点鎖線で囲んだ領域Ｃ）の顕微鏡写真を示した図である。
【００４３】
図９乃至図１１に示す結果から、本願発明者は、スリット１２２ａ及びスリット１３２ａのピッチ幅を調整することによって、配向欠陥による表示パターンの輪郭部の表示への影響を軽減できることを本願発明者は見出した。上記の結果を考察すると、スリット１２２ａ及びスリット１３２ａのピッチ幅が広いほど、セグメント１９１の開口率が大きくなるためＯＮ輝度は増加する。一方で、ピッチ幅を広くしていくと、配向安定性は急激に悪くなる（配向欠陥の増加が多いと考えられる）。特に図１１（ｅ）のように、ピッチ幅を１５０μｍ以上にすると、配向安定性が悪く、セグメント１９１の視認性が悪くなる。このため、スリット１２２ａ及びスリット１３２ａのピッチ幅は、５０μｍ以上１５０μｍ以下が望ましい。
【符号の説明】
【００４４】
９１・・・吸収軸
９３・・・吸収軸
９５・・・液晶分子が倒れる方向
１００・・・液晶表示素子
１１０・・・液晶層
１１１・・・液晶分子
１１５・・・斜め電界
１２０・・・上側基板
１２１・・・基材
１２２・・・上側電極
１２２ａ・・・スリット
１２２ｂ・・・中心軸
１２３・・・絶縁膜
１２４・・・配向膜
１３０・・・下側基板
１３１・・・基材
１３２・・・下側電極
１３２ａ・・・スリット
１３２ｂ・・・中心軸
１３３・・・絶縁膜
１３４・・・配向膜
１４０・・・上側偏光板
１５０・・・下側偏光板
１６０・・・視角補償板
１９０・・・全体表示領域
１９１・・・セグメント
２２２・・・上側電極
２２２ａ・・・スリット
２３２ａ・・・スリット
２９１・・・セグメント
【図１】
0005434382.tif 000002
【図２】
0005434382.tif 000003
【図３】
0005434382.tif 000004
【図４】
0005434382.tif 000005
【図５】
0005434382.tif 000006
【図７】
0005434382.tif 000007
【図８】
0005434382.tif 000008
【図９】
0005434382.tif 000009
【図１０】
0005434382.tif 000010
【図６】
0005434382.tif 000011
【図１１】
0005434382.tif 000012